(57)【要約】ユニバーサルな半自動で折り畳み可能は箱は、通常、底面パネル（２）を有する箱本体（１）と、２またはそれ以上の側壁（５）と、対応する数のソフトシート（９）と、ばね片（１１）を有する。各ばね片は、底面パネルと少なくとも一の側壁に連結されている。側壁は側壁が展解して立ち上がることができるように底面パネルに連結されており、シートは側壁を連結するための折り畳み可能な連結部を形成し、ばね片は箱を平らに展解するように働く。ばね片は、展解したときにまっすぐに保持し、若干曲げられたときにまっすぐな状態から自動折り畳みを行う特性を有する。ばね片は、箱と一体的な部分として、あるいは代替的に、ユーザが箱の側壁に取り付けることのできる別部品として提供することができる。箱本体は、例えば、四角形、球形、矩形、六角形、八角形、など様々なサイズおよび形状を取る事ができる。本発明の箱は、様々な収納アプリケーションに利用することができ、箱が使用されるであろうあらゆる環境で使用することができる。
2006513935.tif 000002
【特許請求の範囲】
【請求項１】
ユニバーサルな半自動の折り畳み可能な箱において：
（ａ）底面パネルと、当該底面パネルの各側辺に連結された少なくとも二つの側壁であって、展解および立ち上げ可能な側壁と；
（ｂ）前記側壁の側辺に連結する内部あるいは外部シートであって、隣合う側壁の側辺間に位置する各シートの各コーナが、隣り合う側壁を連結する連結部を形成しているシートと；
（ｃ）縦長の自動組み立てばね片であって、各々が前記底面パネルと少なくとも一の側壁とに連結されており、前記ばね片が前記側壁を立ち上げて箱を形成するように自動組み立て動作をし、前記各自動組み立てばね片が、凹側部と凸側部と、まっすぐになったときにそのまっすぐな形状を保持し、所定の位置に曲げられたときに自動組み立てを行う特性を有する、ばね片と；
を具えることを特徴とする箱。
【請求項２】
請求項１に記載の箱において、前記ばね片がカーボンスプリングスチールでできていることを特徴とする箱。
【請求項３】
請求項１に記載の箱において、前記ばね片が剛性プラスチック材料でできていることを特徴とする箱。
【請求項４】
請求項１に記載の箱において、前記側壁が前記底面パネルに着脱自在に連結されており、前記シートが前記側壁の前記側辺に着脱自在に連結されており、前記ばね片が前記底面パネルと前記側壁の少なくとも一つに着脱自在に連結されていることを特徴とする箱。
【請求項５】
請求項１に記載の箱において、前記箱本体がワンピースのダイカットボードであることを特徴とする箱。
【請求項６】
請求項１に記載の箱において、前記ばね片が保持および締結エレメントによって前記底面パネルと前記側壁に固定されていることを特徴とする箱。
【請求項７】
請求項１に記載の箱が、さらに、前記側壁の前記側辺に、前記隣り合う側壁の相互連結を容易にして箱を形成する連結手段を具えることを特徴とする箱。
【請求項８】
請求項７に記載の箱において、前記連結手段が磁石であることを特徴とする箱。
【請求項９】
請求項１に記載の箱がさらに、前記ばね片の一部に取り付けられて、前記一部において前記ばね片の自動組み立ての開始を防止するための手段を具えることを特徴とする箱。
【請求項１０】
請求項１に記載の箱がさらに、前記側壁の外側に配置され、前記箱が組み立てた状態にあるときに前記隣り合う側壁を互いに保持するロッキングシステムを具えることを特徴とする箱。
【請求項１１】
請求項１０に記載の箱において、前記ロッキングシステムがタブとスロットの係合であることを特徴とする箱。
【請求項１２】
請求項１に記載の箱が、さらに、少なくとも一の前記側壁に前記箱本体に対して開閉できるように支持されているフタを具えることを特徴とする箱。
【請求項１３】
請求項１に記載の箱が、さらに、前記箱が移動できるように前記底面パネルに取り付けたホィール、キャタピラトラック、あるいは他の手段を具えることを特徴とする箱。
【請求項１４】
請求項１に記載の箱がさらに、アタッチメントを具え、当該アタッチメントが以下のいずれかの組み合わせ：
（ａ）前記側壁の前記側辺に配置され、前記隣り合う側壁の相互接続を容易にし、箱を形成する連結手段；
（ｂ）前記側壁の外側と前記底面パネルに配置された保持及び締結エレメントであり、前記底面パネルと前記側壁に前記ばね片を固定するように設計された保持及び締結エレメント；
（ｃ）前記ばね片の一部に取り付けられ、この部分で前記ばね片の自動組み立ての開始を防止する手段；
（ｄ）前記側壁の外側に配置され、前記箱が組み立てられた状態にあるとき、前記隣り合う側壁を保持するロッキングシステム；
（ｅ）前記少なくとも一の側壁に支持されており、前記箱本体に対して開閉可能なふた；
（ｆ）前前記箱が移動できるように記底面パネルに取り付けられているホィール、キャタピラトラック、あるいはその他の手段；及び
（ｇ）前記箱の使用および利用を容易にする他のいずれかのアタッチメント；
を具えることを特徴とする箱。
【発明の詳細な説明】
【技術分野】
【０００１】
本発明は、半自動的な箱、持ち運び用箱、あるいは保管箱、特に、限定することなく、一般商品、新鮮な農産物、おもちゃなどを含む様々な内容物を保持するための箱であって、平らに展解可能な箱に関する。
【０００２】
背景技術−従来技術の説明
様々な種類の箱または容器が従来より知られており、これらの箱は保管および運搬の目的で商品を保持するのに使用されている。しかしながら、公知の箱にはどれもいろいろな欠点がある。特に、ある種の箱は再使用できない。このような従来の箱の例は、米国特許第3,708,103号（Evans）；第4,083,454号（O’Neil）；及び第5,197,659号（Vassiliou）である。
【０００３】
ある種の箱は、シート状に平たく折り畳むことができない。このような従来の箱の例は、米国特許第4,606,461号（Bolton）；第5,429,261号（Machino）；第5,868,306号（Wen-Tsan）； 及び第6,149,025号（Wang）である。
【０００４】
折り畳み可能な箱は、ほとんどの場合一体的（ワンピース）構造であり、要求がある時に保存するアイテムを封入するために箱を折り畳むユーザに提供される主折畳み線を有する。このような箱の組み立てと展解は、比較的時間がかかり、複雑である。このような従来の箱の例は、米国特許第3,310,219号（Dlugopolski）；  第3,708,103号（Evans）；  第3,991,932号（Curren）；  第4,083,454号（O’Neil）；  第4,463,997号（Densen）；  第4,509,645号（Hotta）；  第5,868,306号（Wen-Tsan）； 第5,913,474号（Chu）；  第5,996,885号（Chu）；  第6,041,998号（Goldberg）；  及び第6,474,541号（Chu）である。
【０００５】
このような箱は箱の内に内容物がある状態では折り畳めなかったり、展解することができず、折り畳むあるいは展解する前に箱を空にする必要がある。このような箱の例は、米国特許第3,310,219号（Dlugopolski）；  第3,708,103号（Evans）；  第3,991,932号（Curren）；  第4,083,454号（O’Neil）；  第4,463,997号（Densen）；  第5,868,306号（Wen-Tsan）； 第5,913,474号（Chu）；  第5,996,885号（Chu）；  第6,041,998号（Goldberg）；  及び第6,474,541号（Chu）である。
【０００６】
また、このような一体的な箱または容器は、つぶれた状態にあっても相応の場所を取ることがある。このような箱の例は、米国特許第3,310,219号（Dlugopolski）；  第3,991,932号（Curren）；  第4,463,997号（Densen）；  第4,509,645号（Hotta）；  第5,868,306号（Wen-Tsan）； 第5,913,474号（Chu）；  第5,996,885号（Chu）；  第6,041,998号（Goldberg）；  及び第6,474,541号（Chu）である。
【０００７】
一体的な箱のその他の問題は、箱のいずれかの部分が壊れたり、ダメージを受けたりした場合、箱そのものがもはや好適に使用できないことである。
【０００８】
米国特許第3,708,103号（Evans）；  第3,991,932号（Curren）；  第4,509,645号（Hotta）；  第5,868,306号（Wen-Tsan）；及び第6,041,998号（Goldberg）に記載されているような平たく折り畳める箱は、持ち運び可能であるが、重い負荷を伴う場合は積み重ねることができない。
【０００９】
更に、米国特許第3,310,219号（Dlugopolski）；  第3,708,103号（Evans）；  第3,991,932号（Curren）；  第4,509,645号（Hotta）；  第5,868,306号（Wen-Tsan）；  第5,996,885号（Chu）；  第6,041,998号（Goldberg）；  及び第6,474,541号（Chu）に記載されているような従来の箱は、箱を作ることができる材料が実質的に限定される。
【００１０】
ある種の箱は、材料が過剰に必要である。このような従来の箱の例は、米国特許第3,310,219号（Dlugopolski）；  第3,991,932号（Curren）；  第4,083,454号（O’Neil）；  第5,868,306号（Wen-Tsan）； 第5,913,474号（Chu）；  第5,996,885号（Chu）；  第6,041,998号（Goldberg）；  及び第6,474,541号（Chu）である。
【００１１】
米国特許第2,845,976号（Miller）；  第3,940,009号（Szeles）；  第3,945,561号（Strebelle）；  第4,099,648号（Kirkton）；  第5,183,177号（Yu）；  第5,193,701号（Bush）；  第5,273,206号（Vassiliou）；  第6,003,708号（Meyering）；  及び第6,332,554号（McCarthy）は、様々な箱や容器を開示している。
【００１２】
上記引用した箱あるいは、本出願人が知るその他のあらゆる例のうちのいずれも、以下に述べるような、また請求項に記載しているような半自動で折り畳み可能な箱に言及、あるいは提言するものではない。
【００１３】
発明の開示
本発明は、公知の持ち運び用あるいは収納用の箱および容器に伴う上述した問題を解決するように設計されたものである。
【００１４】
本発明によれば、半自動の箱は、底面パネルと、2又はそれ以上の側壁と、相応の数のリフトクロスシートで形成されている。側壁は、展解可能で、立ち上がれるように底面パネルに連結されており、前記シートは、側壁を連結するための折り畳み可能な連結部分を形成している。
【００１５】
本発明の主な特徴は、自動折り畳み箱構造を提供することであり、この構造は、前記底面パネルと少なくとも一の側壁に連結されている自動折り畳みばね片を具える。このばね片は、展解されてまっすぐになったときに、ばね片がまっすぐな形状を保ち、折り曲げられたとき自動折り畳みが開始して側壁が自身で立ち上がって箱を形成するようなバイアスを有する。この箱は、平らに展解することができ、側壁に取り付けられているばね片を単に折り曲げて自動折り畳みを行うだけで容易に通常の形状に戻り、この折り畳みと展解を繰り返し行うことができる。
【００１６】
ばね片は、箱に一体化した部分として設けても良く、あるいは代替的に、ユーザが箱の側壁に取り付けることができる別部品とすることもできる。
【００１７】
本発明の箱は、例えば、四角、球形、長方形、六角形、八角形、など、様々な形にすることができる。
【００１８】
目的と効果
従って、本発明の目的と効果は以下のとおりである。
（ａ）直立位置では、個人的な小さなアイテムからおもちゃや洗濯物、又、様々な家庭でのアプリケーションや工具にいたる様々な収納アプリケーションに使用することができる半自動で折り畳み可能な箱を提供する。いろいろなサイズ、形状、および材料での製造に適しており、フードスタッフ用容器、新鮮果物や果実を搬送および保存するための容器、あるいはペットの搬送に便利なケージなどに使用することができる半自動で折り畳み可能な箱を提供する。
（ｂ）容易かつ迅速に平らに展解することが可能であり、展解したときにシートあるいはカーペットとして使用することができる半自動で折り畳み可能な箱を提供する。
（ｃ）直ちに平たく展解したり、内容物を保持するために直立位置に戻すように組み立てることができ、箱の内容物に容易にアクセスすることができ、組み立てあるいは展解の前に箱から内容物を除去する必要ない、半自動の折り畳み可能な箱を提供する。
（ｄ）使用する際に容易かつ迅速に組み立てることができ、使用しないときには都合よくつぶして分解することができる半自動の折り畳み可能な箱を提供する。
（ｅ）各側壁が起きたときに箱状になって箱を形成し、各側壁が展解したときにシート状になってシートまたはカーペットとして使用することができ、これによって展解時、保存時、あるいは移送時にスペースを有効利用できる半自動の折り畳み可能な箱を提供する。
（ｆ）つぶした（分解した）状態にあるときに占めるスペースが比較的小さい半自動の折り畳み可能な箱を提供する。
（ｇ）再使用可能な半自動の折り畳み可能な箱を提供する。
（ｈ）耐久性があり、箱が使用されるであろういかなる環境でも使用することができる半自動の折り畳み可能な箱を提供する。
（ｉ）必要な材料が非常に経済的で、効率の良い半自動の折り畳み可能な箱を提供する。
（ｊ）容易に入手可能な材料と製造プロセスで簡単に作ることができ、したがって、安価で多目的に適用し、使用することのできる半自動の折り畳み可能な箱を提供する。
（ｋ）箱のいずれの部分も新しいものと容易に交換可能であり、従って箱の寿命が長い半自動の折り畳み可能な箱を提供する。
（ｌ）子供のおもちゃ箱として有効に使用することができ、子供がそのおもちゃ箱をすぐに遊び場にすることができ、箱を用意かつ迅速に展解した後直ちに、箱に収納されているすべてのおもちゃを入手できる半自動の折り畳み可能な箱を提供する。
（ｍ）必要があれば、比較的長期間、重負荷を支えて積み重ねが可能な半自動の折り畳み可能な箱を提供する。
【００１９】
本発明の更なる目的と利点は、図面と以下の説明を考慮することによって明らかになる。
【００２０】
実施例
本発明の装置の好ましい実施例を図1乃至８に示す。この箱は、底面パネル２と、2又はそれ以上の側壁５と、対応する数の連結部９とばね片１１を有する本体を具える。好ましい実施例では、底面パネル２は矩形であり、4つの側壁５と、4つの連結部９と、4つのばね片１１がそれぞれ設けられている。側壁５は、例えば厚紙、プラスチック、木、金属などの固く耐久性のある材料でできている。連結部９は、柔らかく、強靭で、薄い材料でできており、折り畳み可能である。底面パネル２の側辺３と、側壁５の底辺６および側辺７と、連結部９の側辺１０には、箱の支持強度を強化するためにマグネットサポート２１が設けられている。ばね片１１は、箱をフラットに展解し、また箱を本来の形に固定して保持する働きをする。
【００２１】
各ばね片１１は、展解してまっすぐになったときにばね片がそのまっすぐになった形状を維持し、ばね片が曲がったときに、自動折畳みが開始され、側壁５が自動で起き上がって箱を形成するようなバイアスがかかっている。
【００２２】
ばね片１１は、機械的エネルギィ状態の連続体を有する材料でできている。ばね片１１の展解状態１８は高いエネルギィで均衡した安定状態である。展解状態１８において、ばね片１１は長手方向に直線状に延在し、縦軸の周りに若干の曲率を有する。ばね片１１の折り畳んだ状態１７は、低いエネルギィで均衡した安定状態である。これらの展解状態と折り畳んだ状態の間は、不安定な非均衡状態の連続体であり、そのほとんどは展解状態と折り畳んだ状態のエネルギィの中間のエネルギィを持つ。これらの中間エネルギィ状態において、ばね片は部分的に折り曲げられ、自然にそのエネルギィを放出し、より折り曲げられた状態へ動く。
【００２３】
図３及び図４は、ばね片１１の機械的位置エネルギィとその状態の関係を示すグラフである。
【００２４】
グラフの左側は高いエネルギィを有するばね片１１の展解状態１８であり、グラフの右側は低いエネルギィを有するばね片１１の折り畳み状態１７である。折り畳み状態の近くには、折り畳んだ状態のエネルギィより若干高い不安定なエネルギィ状態の領域がある。これに続いて、ばね片が均衡状態を破り、最大エネルギィ量２０で特徴付けられる中間状態を過ぎるまで平らになったばね片が展解状態を維持する。次いでばね片が自然に折り畳まれ、エネルギィが最も低い折り畳み状態１７になるまで、あるいは、例えば、側壁５の側辺７のマグネットサポート２１などの外部抑制力によって中間状態１９で止まるまで、そのエネルギィを放出する。折り畳んだあるいは部分的に折り畳んだばね片は、強制的に展解させることによって平たくすることができる。ばね片が押されて平らになり高いエネルギィ状態を過ぎると、自然に均衡した展解状態になる。折り畳んだばね片を平らにするために、あるいは平らなばね片を折り畳む為には、ばね片に、ピーク２０を超えてばね片を押すのに十分な活性化エネルギィが与えられていなければならない。一旦ピークを越して押されると、ばね片は折り畳んだ状態１７あるいは展解した状態１８で弛緩する。
【００２５】
ばね片１１を折り畳むのに必要な活性化力は、通常ばね強度に比例する。活性化力の測定は、材料の活性化力と物理特性を測定するのに使用される標準ワグナーゲージを用いて行うことができる。
【００２６】
上述の本質的な定義を行う特性を有するばね片は、金属、プラスチック、あるいはその他の好適な天然あるいは合成組成物、または、鉄または非鉄ラミネートなど様々な材料のいずれでできていても良い。本発明の好ましい実施例では、このばね片は、カーボンばねスチール−コイリング、巻回、形成といった公知のプロセスで処理された合金でできており、その縦軸を中心として若干のアーク形状を有するスチール片となり、上述したエネルギィ特性を示す。このプロセスは、いろいろなサイズと厚さのばね片の製造に適用することができる。また、様々な折り畳み半径と様々な折り畳み力など、様々な特性を有するばね片の製造に適用することもできる。
【００２７】
自動折り畳みは、ばね片１１の凸側１６で生じる。従ってばね片１１の凹側が箱の内面に対向させて、ばね片１１の自動折り畳みでより容易に側壁５を引き上げるようにすることが好ましい。
【００２８】
予想外にばね片１１が自動折り畳みを開始することを防止するために、ばね片にばね片１１の折り曲げと折り畳み開始を禁止する禁止装置２５を設けるようにしても良い。装置２５は、ばね片１１の折り曲げと組み立て開始を禁止する１１の上端１２を正しい位置に押し付ける、可撓性のない筒状スリーブであるか、あるいは、上端１２の周囲に非伸縮性テープまたはその他の材料を単に巻きつけたものであっても良い。
【００２９】
箱を組み立てるには、(i)図7に示すように、各ばね片１１の底端１３が底面パネル２に連結されており、保持及び締結エレメント２６に固定されていなくてはならない；（ii）側壁５が底面パネル２に、図8に示すように展解して起き上がることができるように連結されていなければならない；（iii）側壁５の側辺７が連結部９の各側辺に連結されていなければならない；及び（iv）各ばね片１１の上端１２が一の側壁５に連結されていなければならない。この連結は、底面パネル２の外側４および側壁５の外側８に、それぞれ位置する保持および締結エレメント２６によって固定することができる。
【００３０】
箱は以下のように動作する。側壁５に連結されたばね片１１がまっすぐになると、箱が展解し、シートまたはカーペットとして使用可能となる。ばね片１１は、若干曲がっており、箱はその自動折り畳みと、これによる側壁５の引き上げによって通常の形状に容易に戻る。組み立てと展解は、箱を空にすることなく繰り返して行うことができる。
【００３１】
図15に示すように、箱は、例えば、ふた２２、ホィール２３、その他の様々なアタッチメントを有していても良い。
【００３２】
箱を使用しないときは、図５に示すように、便利に分解して、収納するべく梱包することができる。箱を分解するには、ユーザは（i）締結エレメント２６を開放して、ばね片１１を底面パネル２と各側壁５から切り離して取り外す；（ii）連結部９の各側辺１０から側壁５の側辺７を切り離して取り外す；および（iii）底面パネル２から側壁５を切り離して取り外す。
【００３３】
好ましい実施例によって構成された箱は、子供のおもちゃや、個人の洗濯物を保持したり、新鮮果物または野菜の保存と運搬に効果的に使用することができる。ユーザは、箱をフラットなシートまたはカーペットに直ちに変えることができ、例えば図14に示すように、箱を容易かつ迅速に展解した後、直ちに箱の内容物２８を入手することができる。
【００３４】
追加の実施例
更なる実施例が図９乃至１１に示されている。二本のばね片１１があり、各ばね片１１の中央部１４が底面パネル２に連結されており、各ばね片１１の二つの端部１２および１３は、二つの対向する側壁５に連結されている。
【００３５】
図10は、ばね片１１の機械的位置エネルギィとその状態との関係を示すグラフである。
【００３６】
箱の動作は、上記好ましい実施例のところで述べたとおりである。
【００３７】
ばね片１１の折り畳み状態１７が最も低いエネルギィを有しているので、ばね片は折り畳み状態１７に達するまで折り畳もうとする。従って、追加の実施例の箱は、側壁５を側壁がフラットになるまで前側に倒すことによって分解（つぶす）ことができる。図11は、この実施例の分解した（つぶした）状態の箱を示す図である。
【００３８】
代替の実施例
図12に代替の実施例を示す。ここでは、箱本体１が一体構造であり、側壁５は溝付折り畳みライン２７に沿って折り畳み可能である。矩形シート２４は、底面パネル２の内側面と、側壁５を覆い、その側辺７に連結して、側壁５の側辺７間に位置するシート２４の４つのコーナが、各側壁に連結する連結部９を構成する。
【００３９】
図13は、代替の実施例を示す図であり、ばね片１１が箱本体１の形状を繰り返した一体構造でできている。
【００４０】
代替の実施例で述べられている箱は、上記の好ましい実施例で述べたと同じように動作する。
【００４１】
箱本体を作る材料は、サイズ、形状、内容物、箱の目的と同様に様々な可能性がある。
【００４２】
図２、１４及び１５は、子供のおもちゃを収納する箱として構成した箱を示す。
【００４３】
図16は、ペットの運搬用ケージとして作った箱を示し、ここでは側壁５が金属グリッドでできている。
【００４４】
図17ａと１７ｂは、ケーキボックスとして作った箱を示しており、これは皿にすることができる。
【００４５】
産業上の利用可能性
従って、本発明の箱は、個人的な小さなアイテムからおもちゃや、洗濯物、家庭用器具や工具まで様々な収納アプリケーションに利用することができる。サイズや、形状、材料を変えて製造するのに好ましく、フードスタッフ用容器、新鮮果実や野菜の搬送および保存用容器、ペットの搬送用ケージ、その他として使用することができる。さらに、箱は、以下の利点を有する：
・ 展解したときにシート又はカーペットとして利用できる、容易かつ迅速に平らに展解できる半自動の折り畳み可能な箱を提供する
・ 直ちに平らに展解したり、内容物を収納する起き上がり位置に戻すことができ、箱を組み立てたり展解したりする前に箱から内容物を取り出さずに箱の中身に容易にアクセスできる半自動の折り畳み可能な箱を提供する
・ 使用時に容易かつ迅速に組み立てることができ、使用しないときには好適につぶして分解することができる半自動の折り畳み可能な箱を提供する
・ 各側壁を立てたときには箱を形成する箱状であり、各側壁を展解したときには、シート状でシートやカーペットとして使用することができ、展解して、保存または運搬するときにスペースを有効利用することができる半自動の折り畳み可能な箱を提供する
・ つぶした（展解した）状態のときに占めるスペースが比較的小さい半自動の折り畳み可能な箱を提供する
・ 再使用可能な半自動の折り畳み可能な箱を提供する
・ 耐久性があって、箱が使用されるであろうどのような環境でも使用することができる半自動の折り畳み可能な箱を提供する
・ 既存の入手可能な材料と製造プロセスで容易に作ることができ、従って安価で、様々な目的に適用して使用可能である半自動の折り畳み可能な箱を提供する
・ どの部品も新しいものと容易に交換可能であり、従って箱の寿命が長い半自動の折り畳み可能な箱を提供する
・ 子供のおもちゃ箱として効果的に使用でき、子供がおもちゃ箱を直ちに遊び場に帰すことができ、箱を容易かつ迅速に展解した後箱に収納されているすべてのおもちゃを直ちに入手することができる半自動の折り畳み可能な箱を提供する
・ 必要があれば、比較的長期間重負荷をかけて積み重ねることが可能である半自動の折り畳み可能な箱を提供する
【００４６】
上述の説明と実施例は、本発明の範囲を制限するものではない。様々な変形例が可能である。従って、本発明の範囲は、請求の範囲とその均等の範囲によって決定する。
【図面の簡単な説明】
【００４７】
添付の図面で、本発明を説明する。
【００４８】
【図１】図１は、組み立て（起きた）状態の箱の斜視図である。
【図２】図２は、展解した状態の一実施例を示す斜視図である。
【図３】図３は、本発明の好ましい実施例によるばね片のエネルギィ対ばね片の状態を示すグラフである。
【図４】図４は、本発明の好ましい実施例によるばね片のエネルギィ対ばね片の状態を示すグラフである。
【図５】図５は、展解した（つぶした）状態における本発明の箱の好ましい実施例の斜視図である。
【図６】図６は、展解した本発明の箱の好ましい実施例の底面図である。
【図７】図７は、組み立て中の箱の斜視図を示す図である。
【図８】図８は、組み立て中の箱の斜視図を示す図である。
【図９】図９は、展解した本発明の箱の更なる実施例の底面図である。
【図１０】図10は、本発明の更なる実施例によるばね片のエネルギィ対ばね片の状態を示すグラフである。
【図１１】図11は、展解した（つぶした）状態における本発明の箱の更なる実施例の斜視図である。
【図１２】図12は、展解した本発明の箱の代替の実施例の斜視図であり、この箱本体は一体的な構造をしている。
【図１３】図13は、展解した本発明の箱の代替の実施例の斜視図であり、ばね片が一体構造をなしており、箱本体の形状を繰り返している。
【図１４】図14は、本発明によって構成された装置の変形例を示す図である。
【図１５】図15は、本発明によって構成された装置の変形例を示す図である。
【図１６】図16は、本発明によって構成された装置の変形例を示す図である。
【図１７ａ】図17ａは、本発明によって構成された装置の変形例を示す図である。
【図１７ｂ】図17ｂは、本発明によって構成された装置の変形例を示す図である。
【符号の説明】
【００４９】
１  箱本体
２  底面パネル
３  底面パネルの側辺
４  底面パネルの外側
５  側壁
６  側壁の底辺
７  側壁の側辺
８  側壁の外側
９  連結部
10  連結部の側辺
11  ばね片
12  ばね片の上端
13  ばね片の底端
14  ばね片の中央部
15  ばね片の凹面
16  ばね片の凸面
17  ばね片を折り畳んだ状態
18  ばね片を開いた状態
19  ばね片の中間状態
20  最大エネルギィ状態
21  磁石
22  ふた
23  ホィール
24  カバーシート
25  折り畳み禁止装置
26  保持および締結エレメント
27  折り畳みライン
28  内容物
【図１】
2006513935.tif 000003
【図２】
2006513935.tif 000004
【図３】
2006513935.tif 000005
【図４】
2006513935.tif 000006
【図５】
2006513935.tif 000007
【図６】
2006513935.tif 000008
【図７】
2006513935.tif 000009
【図８】
2006513935.tif 000010
【図９】
2006513935.tif 000011
【図１０】
2006513935.tif 000012
【図１１】
2006513935.tif 000013
【図１２】
2006513935.tif 000014
【図１３】
2006513935.tif 000015
【図１４】
2006513935.tif 000016
【図１５】
2006513935.tif 000017
【図１６】
2006513935.tif 000018
【図１７ａ】
2006513935.tif 000019
【図１７ｂ】
2006513935.tif 000020
【国際調査報告】
2006513935.tif 000021
2006513935.tif 000022